(57)【要約】【課題】  揺れによる単電池のずれや脱落を防止でき、単電池から組電池に構築する作業性の面でも有利な組電池を提供する。【解決手段】  開閉可能な収納ケース１０と、収納ケース１０内に積層状態で収納される複数個の単電池Ｂと、を有し、収納ケース１０が閉じた状態で、収納ケース１０内の単電池Ｂを加圧し保持するようにしたことを特徴とする。【選択図】            図５
2005116459.tif 000002
【特許請求の範囲】
【請求項１】
開閉可能な収納ケースと、
当該収納ケース内に積層された状態で収納される複数個の単電池と、を有し
前記収納ケースが閉じた状態で、前記収納ケース内の前記単電池を加圧し保持するようにしたことを特徴とする組電池。
【請求項２】
開閉可能とされた少なくとも一対の上ケースと下ケースから構成された収納ケースと、
当該収納ケース内に積層された状態で収納される複数個の単電池と、を有し
当該複数個の単電池を前記収納ケース内に収納した状態で、前記上ケースと下ケースを閉じることにより前記単電池を積層方向の両面から加圧し保持するようにしたことを特徴とする組電池。
【請求項３】
前記収納ケースは、複数の前記上ケースと下ケースがジグザグ状となるようにヒンジ部を介して連結したことを特徴とする請求項１または２に記載の組電池。
【請求項４】
前記収納ケースは、複数の前記上ケースと下ケースがヒンジ部を中心として放射状となるように連結したことを特徴とする請求項１または２に記載の組電池。
【請求項５】
前記収納ケースは、複数個上下積み重ね状態を保持する連結手段を有することを特徴とする請求項１〜４のいずれかに記載の組電池。
【請求項６】
前記連結手段は、上下に位置する収納ケースのいずれか一方に形成された係合部材と、いずれか他方に形成された被係合部材とから構成したことを特徴とする請求項５に記載の組電池。
【請求項７】
前記収納ケースは、内部に一対の単電池を設けたことを特徴とする請求項１〜６のいずれかに記載の組電池。
【請求項８】
前記収納ケースは、前記各単電池から突出された電極タブを加圧し電気的に接続する電極加圧部を有することを特徴とする請求項１〜７のいずれかに記載の組電池。
【請求項９】
前記収納ケースは、前記上ケースおよび／または下ケース内に前記積層された単電池を保持する位置決め手段を有することを特徴とする請求項１〜８のいずれかに記載の組電池。
【請求項１０】
前記収納ケースは、当該収納ケースと他の収納ケースが積み重ねられたとき、当該収納ケース内の単電池から突出された電極タブと、前記他の収納ケースの単電池から突出された電極タブとを電気的に接続する電極部を有することを特徴とする請求項１〜９のいずれかに記載の組電池。
【請求項１１】
前記電極部は、収納ケースが積み重ねられたとき凹凸嵌合する凹凸嵌合部を有することを特徴とする請求項１０に記載の組電池。
【請求項１２】
前記収納ケースは、前記電極部と電気的に接続される電極タブ間に絶縁部材を設けたことを特徴とする請求項１０または１１に記載の組電池。
【請求項１３】
前記積層された単電池の厚さは、前記収納ケースの内部寸法より厚くなるようにしたことを特徴とする請求項１または２に記載の組電池。
【請求項１４】
前記電極加圧部は、前記ヒンジ部の近傍に設けたことを特徴とする請求項８に記載の組電池。
【請求項１５】
前記収納ケースは、放熱孔が多数開設されていることを特徴とする請求項１〜１３のいずれかに記載の組電池。
【発明の詳細な説明】
【技術分野】
【０００１】
本発明は、高エネルギー密度かつ小型軽量で大きなエネルギーを供給する電力源として最適な組電池に関する。
【背景技術】
【０００２】
近年、環境意識の高まりを受けて、自動車の動力源を、化石燃料を利用するエンジンから電気エネルギーを利用するモータに移行しようとする動きがある。このため、モータの電力源となる電池の技術も急速に発展しつつある。
【０００３】
自動車には、小型軽量で、大きな電力を頻繁に充放電可能な、耐震動性、放熱性に優れた電池の搭載が望まれる。大きな電力を供給することができる放熱性に優れた組電池としては、下記特許文献１に示すようなものがある。
【０００４】
特許文献１に開示されている組電池は、直列、並列または直並列に電気的に接続された複数の単電池を、当該単電池の厚み方向に所定の間隔で配置し、単電池間に両側の単電池を押圧する押圧部材を配置して、外装部材によって複数の単電池を固定したものである。このような構造とすることによって単電池の放熱特性を良好にして組電池としてのサイクル特性、レート特性を向上させている。
【特許文献１】特開２０００−１９５４８０号公報（段落番号「００１４」〜段落番号「００２９」、段落番号「００４０」、段落番号「００４１」および図１、図２、図４の記載を参照）
【発明の開示】
【発明が解決しようとする課題】
【０００５】
特許文献１の組電池は、単電池として扁平形電池を用いているため、扁平形電池以外の電池を用いて構成した従来の組電池に比較してエネルギー密度が高く、同一の電力容量の電池であれば小型化が可能である。このため、扁平形電池で構成された組電池は、小型、高エネルギー密度という点では車両搭載用電池として適している。
【０００６】
しかしながら、特許文献１の組電池は、単電池間に押圧部材を配置し、この押圧部材により各単電池に圧力を加え、サイクル劣化や短寿命化を防止しているが、単電池間に押圧部材を設けると、単電池の積層方向の強度は高まるが、単電池との接触面積が小さいので横揺れには弱く、車両搭載用の組電池として使用すると、単電池の一部がずれたり、脱落する虞がある。特に、多数の単電池を相互に接続し、積層して組電池に構築する作業の面でも面倒なものとなる。
【０００７】
本発明は、上記問題に鑑みてなされたものであり、揺れによる単電池のずれや脱落を防止でき、単電池から組電池に構築する作業性の面でも有利な組電池の提供を目的とする。
【課題を解決するための手段】
【０００８】
かかる目的を達成するために、本発明の組電池は、開閉可能な収納ケースと、当該収納ケース内に積層された状態で収納される複数個の単電池と、を有し、前記収納ケースが閉じた状態で、前記収納ケース内の前記単電池を加圧し保持するようにしたことを特徴とする。
【発明の効果】
【０００９】
本発明の組電池では、収納ケース内に複数個の単電池を積層した状態で収納し、収納ケースを閉じると単電池を積層方向の両面から加圧し保持するようにしたので、揺れによる単電池のずれや脱落も防止でき、単電池から組電池に構築する作業が極めて容易となる。
【発明を実施するための最良の形態】
【００１０】
以下、図面を参照して、本発明に係る組電池の実施形態を説明するが、まず、組電池に使用される単電池について説明し、組電池の構造および組み電池を構築するための収納ケースについて説明する。
【００１１】
＜単電池＞
図１は本発明に係る組電池に使用される単電池を示す斜視図である。本実施の形態で使用される単電池Ｂは、図１に示すように、矩形状の扁平な二次電池であり、正極板、負極板およびセパレータを順に積層した発電要素（不図示）を外装材１の内部に複数有している。この発電要素は、たとえば、リチウムイオン二次電池である。
【００１２】
ここで使用されている外装材Ｇは、たとえば、ポリアミド樹脂等の樹脂フィルムに間にアルミ箔を挟んで三層構造にしたラミネートフィルムであるが、前記単電池Ｂの成形に当たっては、このラミネートフィルムを２枚準備し、１枚をプレス加工により扁平な椀状に形成し、他方はシート状のまま使用し、両ラミネートフィルム間に前記発電要素を設置し、周縁部を熱融着接合し封止している。
【００１３】
外装された単電池Ｂからは、アルミニウム薄板で構成された＋電極の電極タブＴａと、銅薄板で構成された−電極の電極タブＴｂが外部に引き出されているが、本実施の形態では、対向する２辺から極性の異なる電極タブが引き出されているタイプの単電池を用いて組電池を構成する。
【００１４】
＜組電池の構造＞
図２は単電池相互を接続し組電池とする構成を模式的に示す図、図３は図２の要部拡大図である。
【００１５】
本実施形態にかかる組電池１は、図２に示すように、２４個単電池Ｂ１〜Ｂ２４が積層された単電池積層体２を４個並列に配置し、合計９６個の単電池を直列接続することにより形成したものである。
【００１６】
２４個の単電池Ｂ１〜Ｂ２４を積層して単電池積層体２を形成するには、図３に示すように、たとえば、下位の単電池Ｂ３の−電極タブＴｂ３と上位の単電池Ｂ４の＋電極タブＴａ４とを電気的に接続する。次に、未接続の＋電極タブＴａ３は、下位の単電池Ｂ２の−電極タブＴｂ２と、未接続の−電極タブＴｂ４は、上位の単電池Ｂ５の＋電極タブＴａ５と、それぞれ電気的に接続する。
【００１７】
この電気的接続は、個々の単電池を独立に取り扱い、＋電極タブＴａと−電極タブＴｂを、物理的に圧接することにより接続してもよいが、本実施形態では、後述するように、予め、下位の単電池Ｂ３の−電極タブＴｂ３と上位の単電池Ｂ４の＋電極タブＴａ４とを超音波溶接等により接続し、他方の電極タブＴａ３とＴｂ４は、Ｔｂ２とＴａ５と所定の電極部材２０ａ，２０ｂを介して接触して接続することとし、２つの単電池Ｂが直列接続された状態の単電池連結体３として取り扱っている。つまり、２つの単電池Ｂを一括して取り扱うこととしている。
【００１８】
このように上下に配置された単電池連結体３の未溶接の電極タブＴを相互に接触して接続することを繰り返すと、２４個単電池Ｂ１〜Ｂ２４が積層された単電池積層体２を簡単に構築することができる。
【００１９】
また、各単電池積層体２相互を接続するには、図２に示すように、一方の単電池積層体２の単電池Ｂ１から突出された＋電極タブＴａ１と、他方の単電池積層体２の単電池Ｂ１から突出された−電極タブＴｂ１とを接続導体４、いわゆるバスバーを用いて行う。
【００２０】
このように電極タブＴの接続と、単電池積層体２相互の接続を繰り返すと、２４個単電池Ｂ１〜Ｂ２４が積層された単電池積層体２を４個並列に配置した状態の、合計９６個の単電池を直列に接続した組電池１が構築される。
【００２１】
このような組電池１の構築は、本実施形態では、下記の収納ケース１０を用いて行うこととしている。
【００２２】
＜収納ケース＞
図４は前記単電池連結体の収納ケースを示す斜視図、図５は図４の５−５線に沿う同収納ケースの断面図、図６は同収納ケースの下ケース内部を示す平面図、図７は同収納ケースの上ケース内部を示す平面図である。
【００２３】
この収納ケース１０は、図４〜図６に示すように、単電池Ｂが積層された状態の単電池連結体３が内部に収納される全体的に扁平な開閉可能なケースであり、ここには各種手段、たとえば、複数個の収納ケース１０が上下に積み重ねられた状態を保持する連結手段Ｒ（図４参照）、接続された電極タブＴａ，Ｔｂを加圧して接続をより確実なものとする電極加圧部１６（図５参照）、収納ケース１０内の単電池を所定位置に位置保持する位置決め手段１７（図６参照）、電極タブを電気的に接続するために設けられたケース電極部１８（図５参照）などが設けられている。
【００２４】
以下、個々に説明する。まず、収納ケース１０は、図１に示すように、基本的には、上ケース１１と下ケース１２とをヒンジ部１３により開閉可能に連結したもので、これらケース１１，１２には多数の放熱孔Ｏが設けられ、内部の単電池Ｂからの熱を外部に放散できるようにしている。この収納ケース１０を構成する材料としては、アクリル樹脂、ＡＢＳ樹脂等の樹脂プレートあるいは金属プレート等の比較的硬いものを使用することが好ましい。
【００２５】
この収納ケース１０は、複数個上下に積み重ねるために、この積み重ね状態を保持する連結手段Ｒが設けられている。この連結手段Ｒは、種々のものがあるが、本実施形態の連結手段Ｒは、図４，６に示すように、上ケース１１の上面に突出された２つのピン１４と、このピン１４が嵌合する下ケース１２に形成された凹部１５（図６参照）とからなり、ピン１４と凹部１５との凹凸嵌合により収納ケース１０を上下に積み重ねることができ、治具や他の補助手段を使用することなく積み重ね状態を保持でき、収納ケース１０相互の横ずれも防止できる。
【００２６】
前記電極加圧部１６は、図５〜図７に示すように、上ケース１１と下ケース１２のヒンジ部１３近傍に設けられ、上ケース１１と下ケース１２に一体に形成された突起部１６ａ，１６ｂにより構成されている。
【００２７】
これら突起部１６ａ，１６ｂは、収納ケース１０に単電池連結体３が設置されたとき、予め溶接接続されている電極タブＴａ，Ｔｂを挟圧するもので、上ケース１１と下ケース１２を閉じたとき、その先端が相互に当接する程度まで突設されている。なお、この電極タブＴａ，Ｔｂをより強力で確実に挟圧するには、突起部１６ａ，１６ｂをゴム等の弾性材により形成してもよい。
【００２８】
特に、本実施形態では、この電極加圧部１６は、ヒンジ部１３の近傍に設けられている。このようにすれば、上ケース１１と下ケース１２の開放側端部より離れた位置で、突起部１６ａ，１６ｂが電極タブＴａ，Ｔｂを挟圧することになるので、いわば「てこ」の原理が作用し、電極タブＴａ，Ｔｂの挟圧がより強力になり、接続も確実なものとなる。
【００２９】
前記位置決め手段１７は、収納ケース１０内で単電池Ｂを所定位置に保持するもので、下ケース１２に設けられている。下ケース１２は、図６に示すように、内部に矩形状の単電池Ｂの４隅を保持する位置決め手段１７、具体的には、凸片１７ａ〜１７ｄが設けられており、この凸片１７ａ〜１７ｄ内に単電池Ｂがきっちりと収まるようになっている。
【００３０】
本実施形態では、ヒンジ部１３に近い凸片１７ａ，１７ｂ間に、前記電極加圧部１６が位置しているので、凸片１７ａ，１７ｂで単電池Ｂを固定した状態で電極加圧部１６が電極タブＴを挟持することになり、収納ケース内での単電池Ｂの固定がより確実で、電極タブＴも安定した接続状態となる。
【００３１】
なお、本実施形態の位置決め手段１７は、下ケース１２に設けられ、上ケース１１には設けられていない（図７参照）。収納ケース１０内で単電池連結体３は加圧された状態で保持されるので、上ケース１１内に位置決め手段１７を設けなくても単電池連結体は変位することはなく、確実に保持されるからである。しかし、これのみでなく上ケース１１に形成してもよく、また両ケースに形成してもよい。
【００３２】
ここにおいて、積層される単電池Ｂの厚さｔは、収納ケース１０の内部寸法ｈより厚くなるようにしている。つまり、収納ケース１０の内部寸法ｈは精度よく成形することは可能であっても、単電池Ｂの厚さｔは個々に変動し、画一的でなく、設置後も変動することもある。したがって、収納ケース１０の内部寸法ｈより厚くなる単電池Ｂを選択して収納ケース１０内に収納し、両ケース１１，１２を閉じたとき、単電池連結体３が加圧されるようにしている。扁平形の単電池の場合、外装材１が内部の発電要素を押さえ込む力が弱いので、充放電を頻繁に繰り返すと発電要素内で発生し、積層した発電要素間に流れ込み、サイクル劣化を起こして単電池の寿命も短くなるが、単電池全体に適切な面圧が加わると、これを防止できる。このため、本実施形態では、単電池連結体３を収納ケース１０自体で加圧している。収納ケース１０自体で単電池Ｂを加圧すれば、後に別途加圧手段を用いて加圧する必要がなくなり、この点でも作業性が向上する。
【００３３】
前記ケース電極部１８は、図５〜図７に示すように、収納ケース１０の開放側端部近傍に設けられている。このケース電極部１８は、収納ケース１０側に設けられ、内部に収納された単電池連結体３の未溶接の電極タブＴａまたはＴｂと、上下に積み重ねられる収納ケース１０内の電極タブＴｂまたはＴａとを電気的に接続する部分である（接続状態は図１１あるいは図１２参照）。
【００３４】
ケース電極部１８は、上ケース１１と下ケース１２に、凹凸嵌合部１９を有している。この凹凸嵌合部１９は、上ケース１１より上方に突出して形成された円筒状の凸部１９ａと、下ケース１２に凹状に形成され、前記凸部１９ａと嵌合される凹部１９ｂとからなり、これら凸部１９ａと凹部１９ｂの中心位置にそれぞれ円柱状の電極部材２０ａと２０ｂが設けられている。
【００３５】
したがって、当該収納ケース１０内に収納された単電池連結体３の未溶接の電極タブＴａと、凹部１９ｂの電極部材２０ｂとを、たとえば、リベット、ボルト、クリップあるいはカシメなどの接合手段により接合すると共に、当該収納ケース１０内の未溶接の電極タブＴｂと、凸部１９ａの電極部材２０ａとを、同様な接合手段により接合すると、当該収納ケース１０内の未溶接の電極タブＴａ，Ｔｂは、上位または下位の収納ケース１０内の電極タブＴａまたはＴｂと電極部材２０ａ，２０ｂを介して電気的に接続されることになる。
【００３６】
これは、収納ケース１０を上下に積み重ね、下位の収納ケース１０の上ケース１１に形成された凸部１９ａと、上位の収納ケース１０の下ケース１２に形成された凹部１９ｂを凹凸嵌合するのみで、上下の収納ケース１０の各電極タブＴａ，Ｔｂを電気的に接続できることになる。
【００３７】
なお、収納ケース１０を上下に積み重ね、前記凹凸嵌合部１９を嵌合すると、この凹凸嵌合自体が、上下の収納ケース１０を連結する前述の連結部材Ｒとしての機能も発揮し、積み重ね状態をより安定的なものとすることができる。
【００３８】
ただし、収納ケース１０内に設けられた単電池連結体３の電極タブＴａとＴｂが収納ケース１０内で相互に接触すると好ましくないので、各収納ケース１０は、電極タブＴａとＴｂの間に絶縁部材Ｚが設けられている。この絶縁部材Ｚは、下ケース１２の開放側先端部に回動可能に取付けられ、単電池連結体３の１つの単電池を下ケース上に設置した後、この単電池上に設置できるようにしている。
【００３９】
また、前記収納ケース１０が金属製の場合、あるいは、収納ケース１０の内部寸法ｈを調節する場合、上ケース１１または下ケース１２の内面と、各単電池Ｂとの間等にも絶縁部材Ｚ（図５参照）を設けてもよい。なお、この絶縁部材Ｚは、電気的に非導通性を有するものであれば、どのようなものであってもよいが、不織布あるいはダンボール紙などのような通気性を有するものであることが好ましい。
【００４０】
次に、作用を説明する。
【００４１】
図８〜図１２は単電池連結体を収納ケースに組み付け状態を工程順に示す断面図である。まず、図８に示すように、収納ケース１０は、上ケース１１や絶縁部材Ｚを矢印で示すように開いた状態とし、予め準備した一方の電極タブＴａと電極タブＴｂを超音波溶接し、他方の電極タブＴａと電極タブＴｂは接合していない単電池連結体３を、単電池Ｂが重ね合わされた状態で、収納ケース１０内に設置する。
【００４２】
溶接された側の電極タブＴａ，Ｔｂは、図９に示すように、下ケース１２の突起部１６ｂ上に載置し、溶接されていない他方の電極タブＴａ，Ｔｂは相互に離間した状態とする。そして、この離間された電極タブＴの内、下側の電極タブＴａをケース電極部１８の凹部１９ｂの上にセットし、この電極タブＴａと凹部１９ｂ内の電極部材２０ｂとを接合手段により接合する。この接合が完了すると、電極タブＴａの上を絶縁部材Ｚにより覆う。
【００４３】
同様に、図１０に示すように、上側の電極タブＴｂをケース電極部１８の凸部１９ａの下にセットし、この電極タブＴｂと凸部１９ａの電極部材２０ａとを接合手段により接合する。
【００４４】
この状態で、上ケース１１と下ケース１２を閉じると、電極加圧部１６の突起部１６ａ，１６ｂが「てこ」の原理で、溶接接続されている電極タブＴａ，Ｔｂを挟圧するので、仮に両電極タブＴａ，Ｔｂに溶接剥がれあっても、両者を強力に挟圧し、接続状態を確実に保持する。
【００４５】
また、収納ケース１０の内部寸法ｈより単電池連結体３の厚みの方が大きいので、この両ケース１１，１２を閉鎖すると、収納ケース１０自体が各単電池Ｂを加圧することになり、後に別途加圧手段を用いて加圧する必要がなく適切な面圧が各単電池に加えられ、仮に、電池が、充放電を頻繁に繰り返しても、サイクル劣化が防止される。なお、収納ケース１０の閉鎖によっても各単電池Ｂを加圧できないかあるいは加圧力が不十分な場合は、収納ケース１０内に絶縁部材Ｚを設け、調整する。このようにして、単電池連結体３が１つの収納ケース１０内に収納された１つの電池ユニットが完成する。
【００４６】
次に、収納ケース１０相互を連結する場合について説明する。図１１に示すように、この１つの収納ケース１０の上に、同様に単電池連結体３が収納された他の収納ケース１０を、図中白抜き矢印で示すように載置すると、一方の収納ケース１０の電極部材２０ｂと他方の収納ケース１０の電極部材２０ａが接触し、電気的に接続される。
【００４７】
この場合、電極部材２０ａは、凹凸嵌合部１９の凸部１９ａ内に没した位置にあり、電極部材２０ａは、凹部１９ｂ内に位置しているので、凸部１９ａと凹部１９ｂが凹凸嵌合すると、両電極部材２０ａ，２０ｂが確実に接触する。つまり、収納ケース１０を積み重ねるという作業のみで、２つの単電池連結体３を直列に接続することができ、この結果、単電池Ｂから組電池１を構築する作業が極めて容易となる。
【００４８】
また、図１２に示すように、複数個の収納ケース１０を積み重ねる場合、下方の収納ケース１０上に設けられた２つのピン１４と、上方の収納ケース１０の下面に設けられた凹部１５も凹凸嵌合するので、これにより治具や他の補助手段を使用することなく収納ケース１０の積み重ね状態が保持され、収納ケース１０相互の横ずれも防止される。
【００４９】
このようにして、１つの収納ケース１０ごとに形成された電池ユニットを多数積み重ねた単電池積層体２が完成する。
【００５０】
そして、単電池積層体２端部の電極部材２０ａと他の単電池積層体２端部の電極部材２０ｂとを接続導体４、いわゆるバスバーを用いてカシメなどの接合手段により相互に適数個接合すれば、組電池が完成する。
【００５１】
本発明は、上述した実施形態のみに限定されるものではなく、特許請求の範囲内において種々変更使用することができる。たとえば、前記実施形態は、上下収納ケース１０の積み重ね状態を保持するため、連結手段Ｒとして、ピン１４と凹部１５を用いているが、これのみでなく、図１３に示すようなフック部材３０と凹部３１との係合により行うようにしてもよい。つまり、上ケース１１と下ケース１２のいずれか一方に形成された係合部材Ｋａと、いずれか他方に形成された被係合部材Ｋｂとから構成したものであればよい。
【００５２】
また、前記本実施の形態では、前記収納ケース１０は、１つの上ケース１１と１つの下ケース１２を１つのヒンジ部１３により連結することにより形成したものであるが、本発明は、これのみでなく、図１４に示すように、複数の上ケース１１と下ケース１２がジグザグ状となるようにヒンジ部１３を介して連結したものであってもよい。このようにすれば、積み重ねた収納ケース１０全体の強度が向上し、車両搭載用の組電池１として使用した場合の横揺れに強く、１つの収納ケース１０がずれたり、脱落する虞はなく、多数の単電池を相互に接続し、積層して組電池に構築する作業の面でも有利になる。
【００５３】
複数の収納ケース１０を連続的に形成する場合でも、ジグザグ状にヒンジ連結するのみでなく、図１５に示すように、複数の上ケース１１と下ケース１２がヒンジ部１３を中心として放射状となるように連結してもよい。このようにすれば、積み重ねた複数の収納ケース１０の一側が開放された部分となるので、単電池連結体３の各収納ケース１０への設置が容易になり、組電池構築の作業性が向上する。しかも、組電池全体の強度が向上するのみでなく、横揺れにも強く、１つの収納ケース１０のずれや脱落は皆無となる。
【００５４】
さらに、前記実施形態では、対向する２辺からそれぞれ極性の異なる電極タブＴが引き出されているタイプの単電池Ｂを用いて組電池１を構成しているが、１辺のみに電極タブＴが取り付けられているタイプの単電池Ｂを用いて組電池１を構成することもできる。特に、図１５に示すような、複数のケース１１，１２を１つヒンジ部１３を中心として放射状に連結したものに適用すれば、きわめて作業性のよいものとなり、実用的価値の高いものとなる。
【産業上の利用可能性】
【００５５】
本発明は、多数の単電池を直列に接続して組電池を形成する場合、２つの単電池を接続した単電池連結体を収納ケースに組み込み、これを多数積み重ねるので、揺れによる単電池のずれや脱落を防止できるのみでなく、構築する作業性の面でも有利となる。
【図面の簡単な説明】
【００５６】
【図１】本発明に係る組電池に使用される単電池を示す斜視図である。
【図２】単電池相互を接続し組電池とする構成を模式的に示す図である。
【図３】図２の要部拡大図である。
【図４】単電池連結体の収納ケースを示す斜視図である。
【図５】図４の５−５線に沿う同収納ケースの断面図である。
【図６】同収納ケースの下ケースの平面図である。
【図７】同収納ケースの上ケースの平面図である。
【図８】単電池連結体を収納ケースに組み付ける直前の状態を示す断面図である。
【図９】単電池連結体を収納ケースに設置した状態を示す断面図である。
【図１０】単電池連結体を収納し収納ケースを閉じる状態を示す断面図である。
【図１１】収納ケースを積み重ねる状態を示す断面図である。
【図１２】複数の収納ケースを積み重ねた状態を示す断面図である。
【図１３】他の連結手段を示す斜視図である。
【図１４】複数の収納ケースの他の積み重ね構造を示す断面図である。
【図１５】複数の収納ケースのさらに他の積み重ね構造を示す断面図である。
【符号の説明】
【００５７】
１０…収納ケース、
１１…上ケース、
１２…下ケース、
１３…ヒンジ部、
１６…電極加圧部、
１７…位置決め手段、
１８…電極部、
１９…凹凸嵌合部、
ｈ…収納ケースの内部寸法、
ｔ…単電池の厚さ、
Ｂ…単電池、
Ｋａ…係合部材、
Ｋｂ…被係合部材、
Ｏ…放熱孔、
Ｒ…連結手段、
Ｔａ，Ｔｂ…電極タブ、
Ｚ…絶縁部材。
【図１】
2005116459.tif 000003
【図２】
2005116459.tif 000004
【図３】
2005116459.tif 000005
【図４】
2005116459.tif 000006
【図５】
2005116459.tif 000007
【図６】
2005116459.tif 000008
【図７】
2005116459.tif 000009
【図８】
2005116459.tif 000010
【図９】
2005116459.tif 000011
【図１０】
2005116459.tif 000012
【図１１】
2005116459.tif 000013
【図１２】
2005116459.tif 000014
【図１３】
2005116459.tif 000015
【図１４】
2005116459.tif 000016
【図１５】
2005116459.tif 000017
【手続補正書】
【提出日】平成15年11月4日(2003.11.4)
【手続補正１】
【補正対象書類名】図面
【補正対象項目名】全図
【補正方法】変更
【補正の内容】
【図１】
2005116459.tif 000018
【図２】
2005116459.tif 000019
【図３】
2005116459.tif 000020
【図４】
2005116459.tif 000021
【図５】
2005116459.tif 000022
【図６】
2005116459.tif 000023
【図７】
2005116459.tif 000024
【図８】
2005116459.tif 000025
【図９】
2005116459.tif 000026
【図１０】
2005116459.tif 000027
【図１１】
2005116459.tif 000028
【図１２】
2005116459.tif 000029
【図１３】
2005116459.tif 000030
【図１４】
2005116459.tif 000031
【図１５】
2005116459.tif 000032